(57)【特許請求の範囲】
【請求項１】
対向する側壁間にスカムピットを配置した沈澱池の前記側壁とスカムピット間に両端の軸受部を介して前後に回転自在に支持された円筒型スキマーパイプを備え、同スキマーパイプは、両端に円筒部分を残した状態で該両端間に相当する円筒部分の上部にスカム誘引口を開口するとともに、前記スキマーパイプは、側壁側の一端が側蓋で閉止状とされて側壁に設けたブラケットの第１回転軸により回転自在に支持される一方スカムピット側の他端が開放状とされてスカムピットに開けた開口に対応して装着した基盤によりスカムピット側に回転自在でかつ連通状に支持され、同スキマーパイプの一方向への回転によりスカム誘引口を通じて水面上のスカムを呑み込んで前記スカムピット内に同スカムを誘導する一方同スキマーパイプの他方向への回転によりスカムの呑み込みを停止するように構成されたスカム除去装置において、前記スキマーパイプのスカムピット側の他端円筒部分の中央には、固定筒が設けられるとともに、同固定筒は、スキマーパイプの上回りにのみ放射状に配置された複数枚の固定リブにより固定され、前記固定筒には、スカムピットの方向に向けて突出する第２回転軸が同固定筒内に基部が挿通された状態で設けられ、前記基盤は、スカムピットの側壁側に止着具により固定される板状部分と、同板状部分の一方に筒状に突出する状態で設けられ前記スカムピットの開口内に挿通される外軸受筒と、前記板状部分の中央に前記外軸受筒と同心状をなして設けられた内軸受筒と、外軸受筒と内軸受筒との間を上回りのみにおいて放射状をなして連結する複数枚の固定リブとにより構成され、前記内軸受筒の内部に設けた軸受を介して前記第２回転軸の突出端が挿通支持されるとともに、前記スキマーパイプの他端と基盤との間は、筒基部が基盤の前記板状部分に固定されるとともに筒先端側がスキマーパイプの前記他端円筒部分外周囲に向けてオーバーラップする関係で伸びる密閉筒と、同密閉筒とスキマーパイプの内外間に挿入保持されたシールとを介してスキマーパイプに回転を許す状態で密閉式に接続されていることを特徴とするスカム除去装置。
【請求項２】
請求項１に記載されたスカム除去装置において、基盤は、スカムピットの側面に埋め込まれてナットを移動調節可能にした止着具によりスカムピット側面から離れた位置において垂直面を規定されるようにされるとともに、垂直面を規定される基盤とスカムピットとの間にはシール材が流し込まれて固着されるようになっているスカム除去装置。
【発明の詳細な説明】
【０００１】
【発明の属する技術分野】
この発明は、矩形沈澱池や円形沈澱池等の沈澱池の水面に浮上するスカムを誘引・除去するためのスカム除去装置に関する。
【０００２】
【従来の技術】
例えば、矩形沈澱池においては、円筒形をしたスキマーパイプが両端の回転軸を中心に回転自在に設けられ、同スキマーパイプは一方向に回転することで水面上のスカムを誘引・除去し復帰することで堰止めるようにスカム除去装置が構成されている。
【０００３】
【発明が解決しようとする課題】
ところで、これまでのスカム除去装置は、復帰した際に水位に追従できず、従って、沈澱池内の水位が変動してきた場合にスカム以外に水の流入量が変動してしまい、後処理が大変であった。
【０００４】
この発明は前記課題を解決するためになされたもので、水位が変動しても常時一定の少ない量の水を流入させて後処理が簡単に行えるようにしたスカム除去装置を提供することを目的とする。
【０００５】
【課題を解決するための手段】
前記課題を解決するため、請求項１に記載の発明は、対向する側壁間にスカムピットを配置した沈澱池の前記側壁とスカムピット間に両端の軸受部を介して前後に回転自在に支持された円筒型スキマーパイプを備え、同スキマーパイプは、両端に円筒部分を残した状態で該両端間に相当する円筒部分の上部にスカム誘引口を開口するとともに、前記スキマーパイプは、側壁側の一端が側蓋で閉止状とされて側壁に設けたブラケットの第１回転軸により回転自在に支持される一方スカムピット側の他端が開放状とされてスカムピットに開けた開口に対応して装着した基盤によりスカムピット側に回転自在でかつ連通状に支持され、同スキマーパイプの一方向への回転によりスカム誘引口を通じて水面上のスカムを呑み込んで前記スカムピット内に同スカムを誘導する一方同スキマーパイプの他方向への回転によりスカムの呑み込みを停止するように構成されたスカム除去装置において、前記スキマーパイプのスカムピット側の他端円筒部分の中央には、固定筒が設けられるとともに、同固定筒は、スキマーパイプの上回りにのみ放射状に配置された複数枚の固定リブにより固定され、前記固定筒には、スカムピットの方向に向けて突出する第２回転軸が同固定筒内に基部が挿通された状態で設けられ、前記基盤は、スカムピットの側壁側に止着具により固定される板状部分と、同板状部分の一方に筒状に突出する状態で設けられ前記スカムピットの開口内に挿通される外軸受筒と、前記板状部分の中央に前記外軸受筒と同心状をなして設けられた内軸受筒と、外軸受筒と内軸受筒との間を上回りのみにおいて放射状をなして連結する複数枚の固定リブとにより構成され、前記内軸受筒の内部に設けた軸受を介して前記第２回転軸の突出端が挿通支持されるとともに、前記スキマーパイプの他端と基盤との間は、筒基部が基盤の前記板状部分に固定されるとともに筒先端側がスキマーパイプの前記他端円筒部分外周囲に向けてオーバーラップする関係で伸びる密閉筒と、同密閉筒とスキマーパイプの内外間に挿入保持されたシールとを介してスキマーパイプに回転を許す状態で密閉式に接続されていることを特徴とする。
【０００６】
請求項２記載の発明は、請求項１に記載されたスカム除去装置において、基盤は、スカムピットの側面に埋め込まれてナットを移動調節可能にした止着具によりスカムピット側面から離れた位置において垂直面を規定されるようにされるとともに、垂直面を規定される基盤とスカムピットとの間にはシール材が流し込まれて固着されるようになっている。
【０００７】
【実施形態】
以下、この発明を好適な実施形態を参照しながら詳細に説明する。
図１から図４は、この発明の一実施形態を示し、図１のように、１は沈澱池で、同沈澱池１には対向する側壁２，２が設けられ、その間には汚水による水面３が設定されている。
【０００８】
図１から図４は、図５以下に示す各種駆動方式を組み合わせることのできるスカム除去装置の要部を示している。これらの図において、５はスキマーパイプで、同スキマーパイプ５は円筒形で、その上部には、上からみて帯長状をしたスカム誘引口６が開口している。
【０００９】
このスキマーパイプ５は、図１に示すように、１つの沈澱池１の幅方向中央に後で設置されたボックス形で蓋付きのスカムピット７に各端を回転自在に支持された状態で左右１対配されている。
【００１０】
図１の左側のスカム除去装置を拡大した断面が図２に示すものである。図２において、スキマーパイプ５は、スカムピット７側が開放状とされ他端が側蓋８で閉止されたものになっている。側蓋８には軸受筒１０が固着され、同筒１０内には球面軸受１１が内装されている。同軸受１１を介して第１回転軸１２が挿通されるとともに、同回転軸１２は、池側壁２に固定されたブラケット１３にナイロン樹脂等の支持盤１４を介して回転自在に支持されている。
【００１１】
一方、スキマーパイプ５の図２の右端部は別の方式で支持されている。同スキマーパイプ５の右端部内には、図３にも示すように、中心上に第２回転軸１６が設けられ、同回転軸１６は、その外周の固定筒１７と、同固定筒１７の上回りとスキマーパイプ５との間に放射状に固定された固定リブ１８…とにより止着具１９により脱着自在に固着されている。固定リブ１８…が上回りのみに設けられているのは、図２の矢印のようにスカム水を下回りを通じて流れやすくするためである。
【００１２】
前記スカムピット７の側面には、スキマーパイプ５より少し大きな開口２１が明けられている。この開口２１に対応して図２に示す基盤２２が止着具２３で固定されている。基盤２２は、図４のように矩形板状でその中央には図２で示すような外軸受筒２４が設けられている。外軸受筒２４の中央には、上回りのみの固定リブ２５…を介して内軸受筒２６が設けられ、同内軸受筒２６に内装した球面軸受１１を介して前記第２回転軸１６が回転自在に支持されている。尚、基盤２２は、スカムピット７に埋め込まれてナットを移動調節可能にした止着具２３により垂直面を規定できるようにされているが、その規定の後、基盤２２とスカムピット７との間には、モルタル等のシール材２８が流し込まれて固着されている。
【００１３】
スキマーパイプ５の図２の右端と基盤２２との間を通じてはスカム水が流れ込むため、そのシールのため次のように構成されている。基盤２２の表側には、パッキン３０を介して円筒状をしたフランジ付きの密閉筒３１が止着具３２により固定されている。密閉筒３１とスキマーパイプ５との間にはシール３３が内蔵されているとともに同シール３３の押さえ板３４が設けられている。
以上の構成によりスキマーパイプ５は軽快に回転しながら、スカム水は図２の矢印のように流入してスカムピット７内に流れ込む。
【００１４】
尚、以下の実施形態でも同様であるが、スキマーパイプ５は角筒状や楕円筒状であってもよい。
【００１５】
図５以下図８までは前記スキマーパイプ５を回転駆動するための各種方式を示している。
図５の実施形態では。スキマーパイプ５の前面に左右１対等のブラケット３７を突出し、同ブラケット３７から上方に伸びるようにクラッチ軸３８を連結してある。そして、スキマーパイプ５の前側には、同スキマーパイプ５を図示の堰止め状態に復帰させるためのフロート３９を備えてある。このフロート３９に代えてあるいはフロート３９と共に、復帰用のウエイトあるいはバネを備えてもよい。
【００１６】
４０は回転軸で、池幅方向に横設されて回転し、同回転軸４０上に備えたスプロケット４１により左右１対のチェーン４２が図示右回りに循環駆動されるようになっている。チェーン４２の外周にはフライト４３…が複数一定の間隔をおいて配備され、そのいずれかあるいは全部の一側端部には駆動ローラー４４が遊転自在に装着されている。
【００１７】
駆動ローラー４４は、上回りに循環することによりカム４６を介して仮想線のように連動アーム４７を持ち上げる。連動アーム４７はアーム軸４８を中心に支持されており、前記持ち上げにより同アーム４７の反カム側の一端は下がるようになる。この下げ動作に応じてクラッチ機構５０が入状態になり、クラッチ軸３８を介してスキマーパイプ５を押し下げ方向に回転連動させる。
【００１８】
クラッチ機構５０は、連動アーム４７の一端に軸５１を介して回転可能に備えたクラッチ板５２と、同クラッチ板５２とともに回転可能にしたアーム５３と、同アームの先端に備えたウエイト５４とを有している。クラッチ板５２は、実線図示の場合は水平になっており、その面内には通孔５５が明けられて前記クラッチ軸３８が通されているとともに前後のクラッチ爪５６を備えている。クラッチ板５２は固定側に設けたストッパ５７により前記水平に姿勢保持され、この際は、通孔５５内でクラッチ軸３８が上下運動自在になっている。従って、この場合、水位が変動すればスキマーパイプ５はフロート３９により水位に追従動作可能である。
【００１９】
前記のようにカム４６を介して連動アーム４７が持ち上がり、一端が下がるように動作すると、クラッチ板５２も下がるようになり、ストッパ５７からクラッチ板５２が外れるようになるとともに、ウエイト５４が作用して仮想線のようにクラッチ爪５６がクラッチ軸３８に噛み合うようになる。更に連動アーム４７が下がると、クラッチ軸３８を押し下げ、これにより、スキマーパイプ５は前回りに回転駆動されてスカム誘引口６が水面以下にくることで水面上のスカムが呑み込まれるようになる。
【００２０】
駆動ローラー４４がカム４６を通過すると、カム４６の重さやフロート３９の浮力の作用で前記噛み合ったまま右回りに回転復帰する。そして、実線のように復帰することでクラッチ板５２がストッパ５７に当たることでクラッチ板５２は水平になってクラッチ爪５６がクラッチ軸３８から外れ、クラッチが断の状態に戻って前記水位追従可能な状態になる。尚、駆動ローラー４４、カム４６、連動アーム４７は回転駆動手段を構成する。
【００２１】
図６は他の実施形態を示す。回転軸４０にはカム６０が回転可能に備え付けられ、同カム６０によりレバー６１が応動するようにされている。レバー６１は、ラック６２を連動させ、このラック６２にピニオン６３を介してギア６４が応動するようになっている。そして、ギア６４が図示右回りに回転するとアーム６５６が下がり動作してクラッチ板５２も下がるようになる。クラッチ板５２にはクラッチ爪５６やウエイト５４を備え、ストッパ５７も構成されている。クラッチ板５２が下がるとストッパ５７から外れるので、ウエイト５４が作用してクラッチ爪５６がクラッチ軸３８に噛み合うようになる。これにより、クラッチ軸３８によりスカムスキマー５がスカム誘引状態になる。カム６０がレバー６１を通過すると、バネ６６や図示しないフロートの作用でギア６４が図示左回転するとともに図６の実線状態に復帰してストッパ５７にクラッチ板５２が当たることで完全復帰してクラッチ断の状態になる。
【００２２】
図７も他の実施形態を示す。この実施形態は、回転軸６７にアーム６８とウエイト５４を備え、同アーム６８にクラッチ板５２を装備してあるとともに、アーム６８に水タンク６９を備えてある。水タンク６９の底あるいは側面には微小孔７０が明けられている。図示実線の状態ではクラッチ軸３８が断の状態にある。水タンク６９内に上方から一定量の水が供給され始めると、クラッチ板５２が前下がりになり、クラッチ爪５６がクラッチ軸３８に噛み合うようになり、スキマーパイプ５をスカム誘引状態にする。水タンク６９からは微小孔７０を通じて排水がなされ、そのため、一定の時間が経過した後、前記噛み合ったまま復帰動作に移る。そして、ウエイト５４がストッパ５７に当たることでクラッチ軸３８が断ん状態に戻される。
【００２３】
図８も他の実施形態を示す。同実施形態において、チェーン４２に備えたフライト４３の駆動ローラー４４により池底のカム４６が駆動され、連動アーム４７および連動ロッド７３を介してクラッチ板５２を連動するようになっている。池底からの駆動方式である。尚、手動アーム７４を備えることもできる。
【００２４】
【発明の効果】
この発明は以上のようであるので、水位が変動しても常時一定の少ない量の水を流入させて後処理が簡単に行えるようにしたスカム除去装置を提供することができる。
【図面の簡単な説明】
【図１】この発明の一実施形態を示すスカム除去装置の正面図。
【図２】図１の要部拡大断面図。
【図３】図２のＩＩＩ−ＩＩＩ線断面図。
【図４】図２のＩＶ−ＩＶ線断面図。
【図５】駆動方式の一例を示す側断面図。
【図６】他の駆動方式を示す側断面図。
【図７】他の駆動方式を示す側断面図。
【図８】他の駆動方式を示す側断面図。
【符号の説明】
１…沈澱池  ５…スキマーパイプ  ３８…クラッチ軸  ５０…クラッチ機構５
５６…クラッチ爪。
【図１】
0004055194.tif 000002
【図２】
0004055194.tif 000003
【図３】
0004055194.tif 000004
【図４】
0004055194.tif 000005
【図５】
0004055194.tif 000006
【図６】
0004055194.tif 000007
【図７】
0004055194.tif 000008
【図８】
0004055194.tif 000009